(57)【要約】【課題】  複数の異なるアプリケーションプログラムについて音量を変更する際の操作性を向上させた携帯通信端末を提供する。【解決手段】  ユーザの操作入力によって複数の異なるアプリケーションプログラムごとに指定される音声出力の強度を音量個別設定情報として書き換え可能に記憶する音量個別設定記憶部１７と、ユーザの操作入力によって各アプリケーションプログラムについて一括して指定される音量調整係数を書き換え可能に記憶する音量一括設定記憶部１８と、音量個別設定情報に基づいて個別に音声出力の強度調整を行う音量個別調整部１６と、音量個別設定情報及び音量調整係数から求められる音声出力の強度に基づいて全てのアプリケーションプログラムについて一括して音声出力の強度調整を行う音量一括調整部１９と、個別モード又は一括モードのいずれかをユーザに選択させる音量調整モード選択部１５により構成される。【選択図】  図２
2006157082.tif 000002
【特許請求の範囲】
【請求項１】
ユーザによる操作入力に基づいて２以上の異なるアプリケーションプログラムごとに指定される音声出力の強度を音量個別設定情報として書き換え可能に記憶する音量個別設定記憶手段と、
ユーザによる操作入力に基づいて上記各アプリケーションプログラムについて一括して指定される音量調整係数を書き換え可能に記憶する音量調整係数記憶手段と、
アプリケーションプログラムごとの上記音量個別設定情報に基づいて個別に音声出力の強度調整を行う音量個別調整手段と、
上記音量個別設定情報及び上記音量調整係数から求められるアプリケーションプログラムごとの音声出力の強度に基づいて全てのアプリケーションプログラムについて一括して音声出力の強度調整を行う音量一括調整手段と、
上記音量個別調整手段が音声出力の強度調整を行う個別モード、又は、上記音量一括調整手段が音声出力の強度調整を行う一括モードのいずれかをユーザに選択させる音量調整モード選択手段とを備えたことを特徴とする携帯通信端末。
【請求項２】
上記音量一括調整手段は、一括モードがユーザによって選択指定された場合、個別設定された音量よりも音量を下げることを特徴とする請求項１に記載の携帯通信端末。
【請求項３】
ユーザの操作入力に基づいて有効化されるフラグ情報を上記アプリケーションプログラムごとに書き換え可能に記憶するフラグ情報記憶手段を備え、
上記音量一括調整手段は、一括モードがユーザによって選択指定された場合、上記フラグ情報が有効化されたアプリケーションプログラムについて、個別設定された音量よりも音量を下げることを特徴とする請求項１に記載の携帯通信端末。
【請求項４】
ユーザによる操作入力に基づいて２以上の異なるアプリケーションプログラムごとに指定される音声出力の強度を音量個別設定情報として書き換え可能に記憶する音量個別設定記憶ステップと、
ユーザによる操作入力に基づいて上記各アプリケーションプログラムについて一括して指定される音量調整係数を書き換え可能に記憶する音量調整係数記憶ステップと、
アプリケーションプログラムごとの上記音量個別設定情報に基づいて個別に音声出力の強度調整を行う音量個別調整ステップと、
上記音量個別設定情報及び上記音量調整係数から求められるアプリケーションプログラムごとの音声出力の強度に基づいて全てのアプリケーションプログラムについて一括して音声出力の強度調整を行う音量一括調整ステップと、
音声出力の強度調整が個別に行われる個別モード、又は、音声出力の強度調整が一括して行われる一括モードのいずれかをユーザに選択させる音量調整モード選択ステップとからなることを特徴とする音量調整方法。
【発明の詳細な説明】
【技術分野】
【０００１】
本発明は、携帯通信端末及び音量調整方法に係り、さらに詳しくは、ユーザの操作入力によって複数の異なるアプリケーションプログラムごとに音声出力の強度調整が可能な携帯電話機などの携帯通信端末の改良に関する。
【背景技術】
【０００２】
近年、通話の着呼時や電子メールの着信時に着信音を出力する機能の他に、メール送信時やキー操作時、折り畳み式端末の場合における端末の開閉動作時に報知音を出力する機能、指定された時刻にアラーム音を出力する機能などを備えた携帯電話機が普及している。この様なアプリケーションプログラムごとの音声出力を行う携帯通信端末として、ユーザの操作入力によって複数の異なるアプリケーションプログラムごとに音声出力の強度調整が可能な携帯電話機が従来から提案されている（例えば、特許文献１）。
【０００３】
特許文献１に記載の携帯電話機では、ユーザによる操作入力に基づいて指定される音声出力の強度が複数の異なるアプリケーションプログラムごとに記憶され、アプリケーションプログラムに応じて音量を異ならせることができる。
【特許文献１】特開２００３−１５２８２６号公報
【発明の開示】
【発明が解決しようとする課題】
【０００４】
一般に、上述した様な従来の携帯電話機では、全てのアプリケーションプログラムについて音量を変更しようとすると、アプリケーションプログラムごとに表示画面を切り替えながら、音声出力の強度を指定する必要があった。このため、複数の異なるアプリケーションプログラムについて音量を変更する際の操作性が良くないという問題があった。
【０００５】
本発明は、上記事情に鑑みてなされたものであり、複数の異なるアプリケーションプログラムについて音量を変更する際の操作性を向上させた携帯通信端末を提供することを目的としている。特に、ユーザが必要に応じて、複数の異なるアプリケーションプログラムについて一括して音量を下げることができる携帯通信端末を提供することを目的としている。
【課題を解決するための手段】
【０００６】
本発明による携帯通信端末は、ユーザによる操作入力に基づいて２以上の異なるアプリケーションプログラムごとに指定される音声出力の強度を音量個別設定情報として書き換え可能に記憶する音量個別設定記憶手段と、ユーザによる操作入力に基づいて上記各アプリケーションプログラムについて一括して指定される音量調整係数を書き換え可能に記憶する音量調整係数記憶手段と、アプリケーションプログラムごとの上記音量個別設定情報に基づいて個別に音声出力の強度調整を行う音量個別調整手段と、上記音量個別設定情報及び上記音量調整係数から求められるアプリケーションプログラムごとの音声出力の強度に基づいて全てのアプリケーションプログラムについて一括して音声出力の強度調整を行う音量一括調整手段と、上記音量個別調整手段が音声出力の強度調整を行う個別モード、又は、上記音量一括調整手段が音声出力の強度調整を行う一括モードのいずれかをユーザに選択させる音量調整モード選択手段により構成される。
【０００７】
この様な構成により、ユーザによって選択指定されたモードに応じて音声出力の強度調整が行われるので、ユーザが一括モードを選択指定することにより、複数の異なるアプリケーションプログラムについて一括して音声出力の強度を変更することができる。その際、ユーザによる操作入力に基づいて指定される音量調整係数からアプリケーションプログラムごとの音声出力の強度が自動的に求められるので、複数の異なるアプリケーションプログラムについて音量を変更する際の操作性を向上させることができる。
【０００８】
本発明による携帯通信端末は、上記構成に加え、上記音量一括調整手段が、一括モードがユーザによって選択指定された場合、個別設定された音量よりも音量を下げるように構成される。すなわち、一括モードが選択指定されれば、ユーザによって個別設定された音量よりも音量を下げて音声出力が行われる。これにより、ユーザは、必要に応じて、複数の異なるアプリケーションプログラムについて一括して音量を下げることができる。
【０００９】
また、本発明による携帯通信端末は、上記構成に加え、ユーザの操作入力に基づいて有効化されるフラグ情報を上記アプリケーションプログラムごとに書き換え可能に記憶するフラグ情報記憶手段を備え、上記音量一括調整手段が、一括モードがユーザによって選択指定された場合、上記フラグ情報が有効化されたアプリケーションプログラムについて、個別設定された音量よりも音量を下げるように構成される。すなわち、一括モードが選択指定されれば、フラグ情報が有効化されたアプリケーションプログラムについて、ユーザによって個別設定された音量よりも音量を下げて音声出力が行われる。従って、ユーザは、所望のアプリケーションプログラムについてフラグ情報を有効化することにより、音量を一括変更させるアプリケーションプログラムを指定することができる。
【００１０】
本発明による音量調整方法は、ユーザによる操作入力に基づいて２以上の異なるアプリケーションプログラムごとに指定される音声出力の強度を音量個別設定情報として書き換え可能に記憶する音量個別設定記憶ステップと、ユーザによる操作入力に基づいて上記各アプリケーションプログラムについて一括して指定される音量調整係数を書き換え可能に記憶する音量調整係数記憶ステップと、アプリケーションプログラムごとの上記音量個別設定情報に基づいて個別に音声出力の強度調整を行う音量個別調整ステップと、上記音量個別設定情報及び上記音量調整係数から求められるアプリケーションプログラムごとの音声出力の強度に基づいて全てのアプリケーションプログラムについて一括して音声出力の強度調整を行う音量一括調整ステップと、音声出力の強度調整が個別に行われる個別モード、又は、音声出力の強度調整が一括して行われる一括モードのいずれかをユーザに選択させる音量調整モード選択ステップからなる。
【発明の効果】
【００１１】
本発明による携帯通信端末及び音量調整方法によれば、ユーザによって選択指定されたモードに応じて音声出力の強度調整が行われるので、ユーザが一括モードを選択指定することにより、複数の異なるアプリケーションプログラムについて一括して音声出力の強度を変更することができる。その際、ユーザによる操作入力に基づいて指定される音量調整係数からアプリケーションプログラムごとの音声出力の強度が自動的に求められるので、複数の異なるアプリケーションプログラムについて音量を変更する際の操作性を向上させることができる。
【００１２】
特に、一括モードが選択指定されれば、ユーザによって個別設定された音量よりも音量を下げて音声出力が行われるので、ユーザは、必要に応じて、複数の異なるアプリケーションプログラムについて一括して音量を下げることができる。
【発明を実施するための最良の形態】
【００１３】
実施の形態１．
図１は、本発明の実施の形態１による携帯通信端末の概略構成の一例を示したブロック図であり、アプリケーションプログラムごとに音量調整が可能な携帯電話機１が示されている。本実施の形態による携帯電話機１は、携帯可能な小型の折り畳み式通信端末であり、ユーザによる操作入力に基づいて指定される音声出力の強度を２以上の異なるアプリケーションプログラムごとに記憶し、当該各アプリケーションプログラムに応じて音量を異ならせている。
【００１４】
この携帯電話機１は、主制御部２、無線通信部３、表示制御部４、操作制御部５、端末状態監視部６、スケジュール管理部７、通話制御部８、音声出力制御部９及びアプリケーションプログラム記憶部１１からなる。
【００１５】
無線通信部３は、高周波信号の送受信処理を行っており、音声信号や電子メールなどの通信データがアンテナ３ａを介して送受信される。表示制御部４は、ＬＣＤ（Liquid Crystal Display：液晶表示装置）４ａにおける画面表示に関する制御を行っている。例えば、待ち受け画面を表示したり、各種メニュー画面や入力画面、着信画面、電子メールの閲覧画面の表示が行われる。
【００１６】
操作制御部５は、各種操作キーの操作に基づく入力制御を行っている。操作キーとしては、数字キー、オンフックキー、オフフックキー、方向キー、決定キーなどが操作パネルに配置されている。
【００１７】
端末状態監視部６は、携帯電話機１の開閉状態を監視し、端末の開閉を検出する動作を行っている。ここで、携帯電話機１は、ＬＣＤ４ａを有する表示筐体と、操作パネルを有する操作筐体と、各筐体を折り畳み可能に連結する連結部からなり、クローズ状態及びオープン状態間を遷移可能となっている。クローズ状態は、ＬＣＤ４ａ及び操作パネルを対向させて両筐体を折り畳んだ端末状態であり、オープン状態は、ＬＣＤ４ａ及び操作パネルを同一方向に向けて両筐体を展開させた端末状態である。端末状態監視部６では、この様な端末状態の変化が検出される。これにより、端末状態に応じた各種制御を行うことができる。例えば、ユーザによる端末の展開操作時や折り畳み操作時に端末状態の変化に応じて音の種類を異ならせて報知音を出力する制御が行われる。
【００１８】
スケジュール管理部７は、タイマーを有し、ユーザによって指定された時刻にアラーム音を出力させる制御を行っている。通話制御部８は、音声信号の入出力に関する制御を行っており、受話音をレシーバー８ａに対して出力するとともに、マイクロフォン８ｂからの送話音を無線通信部３へ出力する。
【００１９】
アプリケーションプログラム記憶部１１は、不揮発性の半導体メモリからなり、各種機能を実現するための機能プログラムや制御プログラムをアプリケーションプログラムとして記憶している。例えば、通信データの送受信に関する制御プログラムが予め格納されており、通話の着呼時や電子メールの着信時に着信音を出力する制御が行われる。また、メール送信時やキー操作時、端末の開閉操作時に報知音を出力する機能プログラムが格納されている。また、指定された時刻にアラーム音を出力する機能プログラムが格納されている。
【００２０】
音声出力制御部９は、この様なアプリケーションプログラムごとの音声出力に関する制御を行っている。すなわち、音声出力制御部９は、起動中のアプリケーションプログラム（以下、アプリケーションという）に基づいてスピーカー１０を駆動し、音声出力の強度調整を行っている。この音声出力制御部９では、２つの異なる音量調整モードのいずれか１つをユーザに選択させ、ユーザによって選択指定されたモードに応じて音声出力の強度調整が行われる。
【００２１】
図２は、図１の携帯電話機の要部詳細を示したブロック図であり、音量調整モード選択部１５、音量個別調整部１６、音量個別設定記憶部１７、音量調整係数記憶部１８及び音量一括調整部１９からなる音声出力制御部９が示されている。上述した音量調整モードには、個別モード及び一括モードがあり、個別モードでは、音量個別設定情報に基づく音声出力の強度調整が音量個別調整部１６により行われる。この音量個別設定情報は、ユーザによる操作入力に基づいて２以上の異なるアプリケーションごとに指定される音声出力の強度であり、音量個別設定記憶部１７により書き換え可能に記憶される。
【００２２】
つまり、音量個別調整部１６は、アプリケーションごとの音量個別設定情報に基づいて個別に音声出力の強度調整を行っている。
【００２３】
一括モードでは、音量一括設定情報に基づく音声出力の強度調整が音量一括調整部１９により行われる。この音量一括設定情報は、音量個別設定情報及び音量調整係数から求められるアプリケーションごとの音声出力の強度である。
【００２４】
上記音量調整係数は、ユーザによる操作入力に基づいて上記各アプリケーションについて一括して指定される音声出力の強度調整のための音量パラメータであり、音量調整係数記憶部１８により書き換え可能に記憶される。
【００２５】
つまり、音量一括調整部１９は、アプリケーションごとの音量一括設定情報に基づいて全てのアプリケーションについて一括して音声出力の強度調整を行っている。音量調整モード選択部１５は、個別モード又は一括モードのいずれかをユーザに選択させ、ユーザによって選択指定されたモードに応じて音量個別調整部１６及び音量一括調整部１９を動作させている。
【００２６】
つまり、ユーザによって選択指定されたモードに応じて音声出力の強度調整が行われるので、ユーザが一括モードを選択指定することにより、複数の異なるアプリケーションについて一括して音量を変更することができる。その際、ユーザによって指定される音量調整係数からアプリケーションごとの音量が自動的に求められるので、複数の異なるアプリケーションについて音量を変更する際の操作性を向上させることができる。
【００２７】
ここでは、所定の音量調整範囲内で音声出力の強度が変更可能であるものとし、この音量調整範囲は、全ての音量調整可能なアプリケーションについて同一であるものとする。また、音量調整係数は、上記音量調整範囲内で指定され、一括モードが選択された場合、ユーザによってアプリケーションごとに個別設定された音量よりも音量を下げる制御が行われるものとする。
【００２８】
具体的には、音量調整範囲を０以上１０以下とし、音量レベルとしてこの範囲内の整数値が指定される。「音量レベル＝０」では、音声出力が休止され、「音量レベル＝１０」では、最大音量で音声出力が行われる。
【００２９】
また、音量調整係数は、音量パラメータとして１以上１０以下の値がユーザによって指定される。このとき、音量一括設定情報としての音量レベルＡ４は、音量レベルの最大値をＡ１（Ａ１＝１０）として、アプリケーションごとに音量個別設定情報として指定されている音量レベルＡ２（０≦Ａ２≦１０）と、音量調整係数Ａ３（１≦Ａ３≦１０）からアプリケーションごとに、次式（１）により求められる。
Ａ４＝［（Ａ３／Ａ１）×Ａ２］…（１）
【００３０】
上式（１）において、［…］は、ガウス記号を用いて表された式となっており、例えば、［Ａ］は実数Ａを超えない最大の整数として規定される。また、Ａ３／Ａ１は、倍率パラメータであり、１以下となっている。
【００３１】
これにより、ユーザは、必要に応じて、複数の異なるアプリケーションについて一括して音量を下げることができる。例えば、周囲の状況などによっては、個別設定した音量よりも音量を下げておきたい場合がある。この様な場合において全てのアプリケーションについて音量を一括して下げることができるので、極めて便利である。また、全てのアプリケーションについて個別に音量を下げるのに比べて、音量変更に要する時間や労力、消費電力を節約することができる。
【００３２】
また、一括設定される音量レベルＡ４が倍率パラメータから求められることから、異なるアプリケーション間の音量レベルにおける相対比率は、常に一定に保持される。アプリケーションによっては、他のアプリケーションよりも音量を大きくしておきたい場合がある。例えば、ユーザがスケジュールの管理を重視している場合には、アラーム音の音量を着信音などの音量よりも大きい方が良い。この様な場合であっても、相対比率が一定に保持された状態で音量の一括変更が行われるので、音量の一括変更を適切に行うことができる。
【００３３】
図３は、図１の携帯電話機における要部詳細の一例を示した図であり、音量パラメータとしての音量調整係数Ａ３の入力画面の様子が示されている。音量調整係数Ａ３の設定時には、ＬＣＤ４ａ上に音量パラメータの入力画面が表示される。この入力画面は、ピクト表示領域２１及び音量レベルゲージ表示領域２２からなる。
【００３４】
ピクト表示領域２１は、入力画面内の上端に配置され、電波の受信状況などが絵文字（ピクトグラム）で表示される。音量レベルゲージ表示領域２２には、音量調整係数Ａ３を入力するための棒状の音量レベルゲージ２３が表示される。ユーザは、方向キーを用いて音量レベルゲージ２３上の指針２４を移動させ、決定キー２５を操作すれば、所望の音量レベルを入力することができる。
【００３５】
図４のステップＳ１０１〜Ｓ１１０は、図１の携帯電話機における音量設定動作の一例を示したフローチャートである。まず、音声出力制御部９は、メニュー画面を表示し、ユーザに個別設定又は一括設定のいずれかを選択させる（ステップＳ１０１，Ｓ１０２）。
【００３６】
このとき、一括設定が選択指定されれば、音声出力制御部９は、音量パラメータの入力画面を表示し、ユーザによって音量調整係数Ａ３が入力されるまで待機する（ステップＳ１０３）。次に、音声出力制御部９は、音量調整係数Ａ３が入力されると、倍率パラメータ（音量調整倍率Ａ３／Ａ１）を生成し、音量一括設定情報としての音量レベルＡ４を式（１）に基づいて算出する（ステップＳ１０４，Ｓ１０５）。求められた音量レベルＡ４は、アプリケーションごとに音量調整係数記憶部１８内に格納される（ステップＳ１０６）。
【００３７】
一方、個別設定が選択指定された場合、音声出力制御部９は、機能選択画面を表示し、音量を変更する機能（アプリケーション）を選択させる（ステップＳ１０７）。次に、音声出力制御部９は、音量レベルの入力画面を表示し、ユーザによって音量レベルが入力されるまで待機する（ステップＳ１０８）。
【００３８】
音量レベルが入力されると、音声出力制御部９は、当該音量レベルを音量個別設定記憶部１７内に格納し（ステップＳ１０９）、他の機能についても音量変更するか否かを照会するための照会画面を表示する（ステップＳ１１０）。このとき、他に音量変更する機能がなければ、この音量設定動作は終了され、他の機能についても音量変更する場合には、ステップＳ１０７からステップＳ１１０までの処理が繰り返される。
【００３９】
本実施の形態によれば、ユーザが一括モードを選択指定することにより、全てのアプリケーションについて一括して音量を変更することができる。その際、ユーザによって指定される音量調整係数Ａ３からアプリケーションごとの音量レベルＡ４が自動的に求められるので、複数の異なるアプリケーションについて音量を変更する際の操作性を向上させることができる。
【００４０】
なお、本実施の形態では、複数の異なるアプリケーションについて一括して音量が下げられる場合の例について説明したが、本発明はこれに限られるものではない。例えば、複数の異なるアプリケーションについて一括して音量を上げるようにしても良い。具体的には、倍率パラメータとして１以上の数値をユーザに指定させることによって、全てのアプリケーションについて一括して音量を上げることが考えられる。このようにすれば、周囲が騒々しい場合などに、音量を一括して上げることができるので、便利である。
【００４１】
実施の形態２．
実施の形態１では、全ての音量調整可能なアプリケーションについて一括して音量が変更される場合の例について説明した。これに対し、本実施の形態では、フラグ情報が有効化されたアプリケーションについて一括して音量を変更する場合について説明する。
【００４２】
図５は、本発明の実施の形態２による携帯通信端末の要部構成の一例を示したブロック図である。本実施の形態による携帯通信端末は、図１の携帯電話機１（実施の形態１）と比較すれば、音声出力制御部３１にフラグ情報記憶部３２を備えている点で異なる。
【００４３】
フラグ情報記憶部３２は、フラグ情報を書き換え可能に記憶する半導体メモリである。このフラグ情報は、ユーザの操作入力に基づいて有効化される制御コードであり、アプリケーションごとに指定される。
【００４４】
音声出力制御部３１の音量一括調整部１９は、一括モードがユーザによって選択指定された場合、フラグ情報が有効化されたアプリケーションについて一括して音量を下げる制御を行う。具体的には、フラグ情報を参照し、フラグ情報が有効化されているアプリケーションについてのみ、一括音量変更の対象とされる。従って、フラグ情報が有効化されていないアプリケーションについては、ユーザによる個別設定が優先される。すなわち、一括モード選択時であっても、当該アプリケーションについては、音量個別設定情報としての音量レベルで音声出力が行われる。
【００４５】
図６のステップＳ２０１〜Ｓ２０５は、図５の携帯通信端末における音量の一括変更指定動作の一例を示したフローチャートである。まず、音声出力制御部３１は、メニュー画面を表示し、フラグ情報を有効化させる機能（アプリケーション）をユーザに選択させる（ステップＳ２０１，Ｓ２０２）。
【００４６】
音声出力制御部３１は、ユーザによって機能が選択指定されると、当該機能に対応付けられているフラグ情報を有効化し、フラグ情報記憶部３２内に格納する（ステップＳ２０３，Ｓ２０４）。次に、音声出力制御部３１は、他の機能についても有効化するか否かを照会するための照会画面を表示し、他に有効化させる機能がなければ、この音量一括変更指定動作を終了する（ステップＳ２０５）。他の機能についても有効化させる場合には、ステップＳ２０２からステップＳ２０５までの処理が繰り返される。
【００４７】
本実施の形態によれば、一括モードが選択指定されれば、フラグ情報が有効化されたアプリケーションについて、ユーザによって個別設定された音量よりも音量を下げてスピーカー１０が駆動される。従って、ユーザは、所望のアプリケーションについてフラグ情報を有効化することにより、音量を一括変更させるアプリケーションを指定することができる。
【図面の簡単な説明】
【００４８】
【図１】本発明の実施の形態１による携帯通信端末の一構成例を示したブロック図であり、アプリケーションごとに音量調整が可能な携帯電話機１が示されている。
【図２】図１の携帯電話機の要部詳細を示したブロック図である。
【図３】図１の携帯電話機における要部詳細の一例を示した図であり、音量パラメータとしての音量調整係数Ａ３の入力画面の様子が示されている。
【図４】図１の携帯電話機における音量設定動作の一例を示したフローチャートである。
【図５】本発明の実施の形態２による携帯通信端末の要部構成の一例を示したブロック図である。
【図６】図５の携帯通信端末における音量の一括変更指定動作の一例を示したフローチャートである。
【符号の説明】
【００４９】
１  携帯電話機
２  主制御部
３  無線通信部
４  表示制御部
５  操作制御部
６  端末状態監視部
７  スケジュール管理部
８  通話制御部
９  音声出力制御部
１０  スピーカー
１１  アプリケーションプログラム記憶部
１５  音量調整モード選択部
１６  音量個別調整部
１７  音量個別設定記憶部
１８  音量一括設定記憶部
１９  音量一括調整部
３１  音声出力制御部
３２  フラグ情報記憶部
【図１】
2006157082.tif 000003
【図２】
2006157082.tif 000004
【図３】
2006157082.tif 000005
【図４】
2006157082.tif 000006
【図５】
2006157082.tif 000007
【図６】
2006157082.tif 000008